(57)【要約】【課題】本発明は、第１、第２の水平ルーバーと前パネルに対する必要な検知を単体の検知子で行い、必要スペースの低減化と、配線手間の削減化および制御回路の簡素化によりコストの低減を得られる空気調和機の室内機を提供する。【解決手段】室内機本体１に吸込み口４を備えた吸込みグリル２Ａが開閉自在に取付けられ、かつ吹出し口６が設けられ、熱交換器１０および室内送風機１３が収容され、吹出し口に着脱自在に、かつ互いに並行して風の吹出し方向を設定する第１の水平ルーバー８ａおよび第２の水平ルーバー８ｂが取付けられ、単体のマイクロスイッチ３０を備え、第１の水平ルーバーと第２の水平ルーバーの室内機本体に対する取付けおよび、吸込みグリルの室内機本体に対する開閉状態を検知して、いずれか１つでも正常に装着されていない場合にマイクロスイッチを作用させる装着状態検知機構Ｋとを具備した。【選択図】　　　図３
2004069176.tif 000002
【特許請求の範囲】
【請求項１】
吸込み口を備えた吸込みグリルが開閉自在に取付けられるとともに、前面下部に吹出し口が設けられる室内機本体と、
この室内機本体内に収容される熱交換器および、室内空気を上記吸込み口から吸込んで上記熱交換器を通過させ上記吹出し口から吹出させる室内送風機と、
上記吹出し口に着脱自在に、かつ互いに並行して取付けられ、風の吹出し方向を設定する第１の水平ルーバーおよび第２の水平ルーバーと、
単体の検知子を備え、上記第１の水平ルーバーと第２の水平ルーバーの室内機本体に対する取付けおよび、上記吸込みグリルの室内機本体に対する開閉状態を検知し、いずれか１つでも正常に装着されていない場合に上記検知子を作用させる装着状態検知機構とを具備することを特徴とする空気調和機の室内機。
【請求項２】
上記装着状態検知機構は、第１の水平ルーバーと、第２の水平ルーバーおよび、吸込みグリルのうちの、少なくともいずれか２部品を対象として検知することを特徴とする請求項１記載の空気調和機の室内機。
【請求項３】
上記装着状態検知機構は、第１の水平ルーバーと、第２の水平ルーバーおよび、吸込みグリルに対して弾性的に接触する弾性体を備えていて、この弾性体としてコイルばねを用いたことを特徴とする請求項１および請求項２のいずれかに記載の空気調和機の室内機。
【発明の詳細な説明】
【０００１】
【発明の属する技術分野】
本発明は、室内機と室外機とから構成される空気調和機に係り、特に、室内機に備えられる第１、第２の水平ルーバーの本体に対する取付けおよび、上記吸込みグリルの室内機本体に対する開閉状態の検知構造に関する。
【０００２】
【従来の技術】
室内機と室外機とから構成される空気調和機が多用される。室内機においては、室内機本体を構成する前パネルに吸込み口を備えた吸込みグリルが開閉自在に取付けられ、この吸込みグリルの下部に沿って吹出し口が設けられる。
上記室内機本体内には、熱交換器および室内送風機が収容される。室内送風機を駆動することにより、上記吸込み口を介して室内空気が室内機本体内に吸込まれる。室内空気は、上記熱交換器を流通して熱交換し、上記吹出し口から室内へ吹出される。
上記吹出し口には、縦ルーバーの他に、第１の水平ルーバーおよび第２の水平ルーバーが並行して取付けられ、室内への熱交換空気の吹出し方向の設定ができるようになっている。
【０００３】
【発明が解決しようとする課題】
ところで、吹出し口に静電気が発生し易いところから、特に水平ルーバーに塵埃が付着する条件が整っている。そのため、機種によっては水平ルーバーを着脱自在として手元で塵埃の除去作業ができる。また、機種によっては取り外しができないので、手を伸ばして同様の作業を行うこととなる。
一方、近時の室内機では熱交換器の前面側に電気集塵機を備えていて、塵埃を付着させ確実に除去している。ここでも定期的に吸込みグリルを開放し、電気集塵機に付着している塵埃を除去しなければならない。
【０００４】
清掃作業の終了後は、水平ルーバーや電気集塵機などを元の状態に戻し、空調運転を再開する。それ以前に、水平ルーバーが正しく取付けられているか、電気集塵機が元の状態になっているか、吸込みグリルは外れていないか等を確認しなければならない。
これらの確認を目視によりなすには不十分であり信頼性が低い。そのため、必要部位に装着状態検知機構を配置して対応している。具体的には、各水平ルーバーの取付け部位と、吸込みグリルの閉成部位に検知スイッチを取付け、このスイッチに上記部品の一部を接触させ、各部品が正規位置にあることを検知する。
【０００５】
各部品が正規位置にないと、すなわち外れた状態にあると、検知子のスイッチレバーに接触するものがなく、スイッチオフになって空調運転の全停止などの必要な措置がとられる。
このようにして安全性が確保されているが、上記装着状態検知機構の構成として３部品に対して３個の検知スイッチを配置し、制御回路に対する配線作業を行わなければならない。スペース的に問題があるとともに配線手間がかかり、かつ制御回路が複雑化してコストに悪影響を与えている。
【０００６】
本発明は上記事情に鑑みなされたものであり、その目的とするところは、第１、第２の水平ルーバーと吸込みグリルに対する必要な検知を単体の検知子で行うことにより、必要スペースの低減化と、配線手間の削減化および制御回路の簡素化に結び付けてコストの低減を得られる空気調和機の室内機を提供しようとするものである。
【０００７】
【課題を解決するための手段】
上記目的を満足するため本発明の空気調和機の室内機は、室内機本体に吸込み口を備えた吸込みグリルを開閉自在に取付け、前面下部に吹出し口を設け、室内機本体内に熱交換器および室内送風機を収容し、吹出し口に着脱自在で互いに並行して第１の水平ルーバーと第２の水平ルーバーを取付け、第１、第２の水平ルーバーの室内機本体に対する取付けおよび吸込みグリルの室内機本体に対する開閉状態を検知して、いずれか１つでも正常に装着されていない場合に単体の検知子を作用させる装着状態検知機構を具備した。
【０００８】
さらに、上記装着状態検知機構は、第１の水平ルーバーと、第２の水平ルーバーおよび、前パネルのうちの、少なくともいずれか２部品を対象として検知する。
さらに、上記装着状態検知機構は、第１の水平ルーバーと、第２の水平ルーバーおよび、前パネルに対して弾性的に接触する弾性体を備えていて、この弾性体としてコイルばねを用いた。
【０００９】
このような課題を解決する手段を採用することにより、必要スペースの低減化と、配線手間の削減化および制御回路の簡素化に結び付けてコストの低減を得られる。
【００１０】
【発明の実施の形態】
以下、本発明の一実施の形態を図面にもとづいて説明する。
図１は空気調和機を構成する室内機の外観の斜視図、図２は室内機の概略の縦断面図、図３は吸込みグリルを開放した状態の室内機の斜視図である。
室内機本体１は、上下方向に対して幅方向が極端に長い横長状をなし、前パネル２と後板３とから構成される。上記前パネル２の一部は吸込みグリル２Ａとなっていて、特に図３のみ示すように上端部を回動支点として開閉自在に取付けられる。
【００１１】
上記前パネル２は、湾曲して手前側に突出し、かつ左右両側に側面板１ａを備えている。吸込みグリル２Ａの一部に前部吸込み口４が開口され、開閉駆動機構５に支持された可動パネル２ａが嵌め込まれている。
運転停止時において、可動パネル２ａは吸込みグリル２Ａと同一面となり前部吸込み口４を閉成するが、運転時には手前側に突出変位して前部吸込み口４を開放するよう制御される。
【００１２】
上記前パネル２の上部に亘って上部吸込み口６が設けられる。上部吸込み口６には枠状の桟７が嵌め込まれていて、この桟によって複数の空間部に仕切られている。
上記可動パネル２ａ下部には前パネル２の一部を構成する半透明材からなる化粧板２ｂが室内機本体１の幅方向に亘って設けられる。この化粧板２ｂの下部側には吹出し口９が形成されていて、この吹出し口９に２枚の水平ルーバー８ａ，８ｂが並行して設けられる。
【００１３】
上部側の水平ルーバーを第１の水平ルーバー８ａと呼び、下部側の水平ルーバーを第２の水平ルーバー８ｂと呼ぶ。これら第１、第２の水平ルーバー８ａ，８ｂは、上記吹出し口９を開閉するとともに、運転条件に応じて姿勢角度を可変し熱交換空気の吹出し方向を設定する。
一方、室内機本体１内には、前側熱交換器部１０Ａと後側熱交換器部１０Ｂとで略逆Ｖ字状に形成される熱交換器１０が配置される。上記前側熱交換器部１０Ａは湾曲状に形成されて前部吸込み口４と対向し、後側熱交換器部１０Ｂは直状に形成されて上部吸込み口６と斜めに傾斜して対向する。
【００１４】
一方、前部吸込み口４と上部吸込み口６とに対向する室内機本体１内にエアーフィルタ１１が取付けられる。このエアーフィルタ１１は各吸込み口４，６と前部熱交換器部１０Ａと上部熱交換器部１０Ｂとの間に介在され、開放した吹出し口９上端と前パネル２下端の間から着脱自在に挿着される。
上記熱交換器１０の前側熱交換器部１０Ａの前面側で、かつ室内機本体１に対する正面視で右端部側にずれた位置に電気集塵機１２が取付けられる。この電気集塵機１２は、流通する空気中の塵埃に電荷を与える荷電側電極と、電荷を与えられた塵埃を引きつけて捕捉する集塵側電極とから構成される。
【００１５】
なお電気集塵機１２は、通常の集塵時と同様に荷電側電極に高電圧を印加すると少量のオゾンが発生するが、このとき、周囲の空気の流れを制限するため送風機１３を停止もしくは超低速運転とすると、電気集塵機１２に室内空気が殆ど流通しなくなり発生したオゾンが消滅せずに室内機本体内に徐々に充満するよう作用するため、室内機本体内の殺菌を行うオゾン発生装置として機能する。
【００１６】
上記熱交換器１０の前後側熱交換器部１０Ａ，１０Ｂの相互間で、かつ上記吹出し口９との間に室内送風機１３が配置される。すなわち、傘状に形成される熱交換器１０の内側に上記室内送風機１３が位置している。
【００１７】
上記前側熱交換器部１０Ａの下端部は前ドレンパン１６ａ上に載り、後側熱交換器部１０Ｂの下端部は後ドレンパン１６ｂ上に載って、それぞれの熱交換器部１０Ａ，１０Ｂから滴下するドレン水を受け、図示しない排水ホースを介して外部に排水できるようになっている。
また、前後ドレンパン１６ａ，１６ｂの一部側壁外面は室内送風機１３に近接した位置に設けられ、これらで室内送風機１３を構成する横流ファンに対するノーズをなしている。
【００１８】
ノーズを構成する前後ドレンパン１６ａ，１６ｂの側壁部分と、上記吹出し口９の各辺部との間は、隔壁部材１７によって連結される。この隔壁部材１７で囲まれる空間が、ノーズと上記吹出し口９とを連通する送風路１８となる。
図３に示すように、上記吸込みグリル２Ａを開放することにより室内機本体１側に上記エアーフィルタ１１が露出する。このエアーフィルタ１１内に、先に図２で説明したように熱交換器１０が配置され、この熱交換器の前面一部に電気集塵機１２が配置されることになる。
【００１９】
また、上記エアーフィルタ１１の側方部位には電気部品箱１９が設けられるとともに、この電気部品箱の下部には、後述する装着状態検知機構Ｋを収容するスイッチカバー体２０が取付けられている。
このようにして構成される空気調和機の室内機であって、リモコンの運転スイッチをオンに切換えると、前パネル２の一部をなす可動パネル２ａが前部吸込み口４を開放し、冷房運転と暖房運転の指定に応じて吹出し口９に備えられる吹出しルーバー８ａ，８ｂが回動し、かつその姿勢が設定される。
【００２０】
同時に、室内送風機１３が送風作用をなす一方で、室外機の圧縮機が駆動され冷凍サイクル運転が開始される。室内空気は、上部吸込み口６と前部吸込み口４から室内機本体１内に導かれ、エアーフィルタ１１を通過する。
室内空気中に含まれるほとんどの塵埃はエアーフィルタ１１によって捕捉され、さらに熱交換器１０を通過して熱交換作用が行われる。この熱交換空気は送風路１８に導かれ、吹出し口９に到達して第１、第２の水平ルーバー８ａ，８ｂによって室内へ吹出し案内され、効率のよい空調運転を継続する。
【００２１】
また、上記電気集塵機１２を機能させることにより、エアーフィルタ１１を通過した細かい塵埃は完全に捕捉され、清浄化した空気が熱交換器１０を介して吹出し口９から室内に吹出される。
つぎに、上記スイッチカバー体２０に収容される装着状態検知機構Ｋについて詳述する。図４（Ａ）は装着状態検知機構Ｋに全ての検知対象物がセットされた状態を示す斜視図であり、図４（Ｂ）は上記検知対象物が全て抜け出た状態の装着状態検知機構Ｋの斜視図である。
【００２２】
上記装着状態検知機構Ｋは、上記スイッチカバー体２０を構成する合成樹脂材からなるカバーベース２５に取付けられていて、単体（１つ）の検知子であるマイクロスイッチ３０と、このマイクロスイッチを作動する作動機構部３２とから構成される。
上記マイクロスイッチ３０は、カバーベース２５に対して斜めに傾いた状態で支持具２６を介して取付けられるスイッチ本体３４と、このスイッチ本体の下面部から突出する３本の端子部ａ，ｂ，ｃを備えている。
【００２３】
さらに、マイクロスイッチ３０は、スイッチ本体３４の上面側に取付けられ一端部が回動自在に支持されるスイッチレバー３５と、このスイッチレバーが接離することによりオンーオフ作用をなす図示しない電極部を備えている。
上記作動機構部３２として、スイッチ本体３４とカバーベース２５との間に介在され、かつ各々がマイクロスイッチ３０の上、下端部から突出するとともに移動自在に支持される第１、第２のスライダ３６，３７および、マイクロスイッチの上端側に回動自在に配置される第３のスライダ３８を備えている。
【００２４】
上記第１のスライダ３６の下端部に、カバーベース２５面から突出し、先端部が斜めに折り返し加工される接触子ｄが一体に設けられる。第１の水平ルーバー８ａが正規位置に取付けられた状態で、このルーバーの支軸ｆの一部がカバーベース２５内に突出し、接触子ｄに接触するようになっている。
また、マイクロスイッチ３０上端側のカバーベース２５面に、弾性体である板ばね体４０が取付けられる。この板ばね体４０は、互いに並設される第１の板ばね部４１および第２の板ばね部４２と、これら板ばね部とは離間した位置に設けられる第３の板ばね４３とからなる。
【００２５】
上記第１の板ばね部４１は、第１のスライダ３６の上端部に弾性的に接触している。すなわち、上記第１の水平ルーバー８ａの支軸ｆが第１のスライダ３６の接触子ｄに接触し、板ばね部４１の弾性力に抗してスライダ３６を上端側へスライド付勢している。
この状態を図４（Ａ）に示しており、図４（Ｂ）に示すように第１の水平ルーバー８ａの支軸ｆをカバーベース２５から抜き出せば、板ばね部４１の弾性復帰力により第１のスライダ３６はマイクロスイッチ３０側へスライドすることになる。
【００２６】
上記第２のスライダ３７は第１のスライダ３６と並設され、この下端部もカバーベース２５面から突出し、直状の接触子ｇが一体に設けられる。上記吸込みグリル２Ａが完全に閉成した状態で、このグリルの一部がカバーベース２５外部から突出し上記接触子ｇに接触するようになっている。
同様に、第２のスライダ３７の上端部には、上記板ばね体４０の第２の板ばね部４２が弾性的に接触している。吸込みグリル２Ａの一部が第２のスライダ３７に接触することにより、上記板ばね部４２の弾性力に抗してスライダ３７を上端側へスライド付勢している。
【００２７】
この状態を図４（Ａ）に示しており、図４（Ｂ）に示すように吸込みグリル２Ａを開放するためカバーベース２５から抜け出せば、第２の板ばね部４２の弾性復帰力により第２のスライダ３７はマイクロスイッチ３０側へスライドする。　上記第３のスライダ３８は、図示しない支軸を介してカバーベース２５に回動自在に支持される。その一部は、上記第２のスライダ３７の上端部で、かつ第２の板ばね部４２の側方部位に位置する作動子ｈとなっている。
【００２８】
上記カバーベース２５には、第２の水平ルーバー８ｂの支軸ｉを受ける受け部２７が設けられる。第３のスライダ３８には、上記受け部２７に支持される第２の水平ルーバー８ｂの支軸ｉに接触する係合部ｊが設けられる。そして、この係合部ｊに上記第３の板ばね部４３が弾性的に接触している。
この状態を図４（Ａ）に示しており、図４（Ｂ）に示すように第２の水平ルーバー８ｂの支軸ｉをカバーベース２５から抜き出せば、第３の板ばね部４３の弾性復帰力により第３のスライダ３８は回動して作動子ｈがマイクロスイッチ３０側へ回動変位する。
【００２９】
このようにして構成される装着状態検知機構Ｋに対して、図４（Ａ）は全ての検知対象物である第１の水平レバー８ａと第２の水平レバー８ｂおよび吸込みグリル２Ａが正規の位置にセットされ、したがってこれらの装着がすべて正しく行なわれて異状が検知されない状態を示している。
具体的には、第１の水平ルーバー８ａの支軸ｆが第１のスライダ３６を押し上げているので、このスライダはマイクロスイッチ３０のスイッチレバー３５から離間している。
吸込みグリル２Ａの一部は第２のスライダ３７を押し上げているので、このスライダはスイッチレバー３５から離間している。第２の水平ルーバー８ｂの支軸ｉが第３のスライダ３８を回動付勢しているので、このスライダはスイッチレバー３５から離間している。
【００３０】
図４（Ｂ）は、全ての検知対象物が何らかの理由により装着状態検知機構Ｋから外れ、したがって装着状態検知機構が正常に装着されていない異状を検知した状態を示している。
具体的には、何らかの理由により第１の水平ルーバー８ａの支軸ｆがカバーベース２５から抜け出て、第１の板ばね部４１の弾性復帰力により第１のスライダ３６を押し下げ、このスライダがスイッチレバー３５に接触する。
【００３１】
あるいは、何らかの理由により吸込みグリル２Ａがカバーベース２５から外れ、それにより第２の板ばね部４２の弾性復帰力が作用して第２のスライダ３７を押し下げ、このスライダがスイッチレバー３５に接触する。
あるいは、何らかの理由により第２の水平ルーバー８ｂの支軸ｉがカバーベース２５から抜け出て、第３の板ばね部４３の弾性復帰力が作用し第３のスライダ３８を回動付勢して、このスライダがスイッチレバー３５に接触する。
【００３２】
当然、全ての検知対象物が一斉に異状を発することは考えられない。第１の水平ルーバー８ａと、第２の水平ルーバー８ｂおよび吸込みグリル２Ａのいずれか一部品が異状をなしただけで、マイクロスイッチ３０のスイッチレバー３５を押し下げる。
すなわち、検知対象物のうちのいずれか一部品における異状を、検知子であるマイクロスイッチ３０が検知するところとなり、たとえば空調運転の全停止などの措置がとられる。
【００３３】
なお、上記実施の形態においては検知対象物として、第１の水平ルーバー８ａと、第２の水平ルーバー８ｂおよび吸込みグリル２Ａの三部品を挙げたが、これに限定されるものではなく、上記のいずれか二部品を検知対象物としても安全性を確保でき、かつ構成が簡素化しよりコストの低減を得られる。
また、上記装着状態検知機構Ｋの弾性体としての板ばね体４０として第１〜第３の板ばね部４１〜４３を備えたがこれに限定されるものではなく、これら板ばね部に換えてコイルばねを用いるようにしてもよい。
【００３４】
この場合、上記カバーベース２５に長孔を設け、この長孔を介してカバーベースのの裏面側に各スライダ３６〜３８の一部を突出させ、この突出部とカバーベース裏面に設けた掛止部との間に上記コイルばねを架設することになる。
上記コイルばねは、板ばね体４０と比較して廉価ですむので、さらなるコストダウンに寄与する。
【００３５】
【発明の効果】
以上説明したように本発明によれば、第１、第２の水平ルーバーと吸込みグリルに対する必要な検知を単体の検知子で行うことにより、必要スペースの低減化と、配線手間の削減化および制御回路の簡素化に結び付けてコストの低減を得られるなどの効果を奏する。
【図面の簡単な説明】
【図１】本発明の一実施の形態を示す、空気調和機の室内機の外観斜視図。
【図２】同実施の形態を示す、室内機の断面図。
【図３】同実施の形態を示す、室内機の前パネルを開放した状態の斜視図。
【図４】同実施の形態を示す、装着状態検知機構の互いに異なる状態を説明する図。
【符号の説明】
４…前部吸込み口、
２Ａ…吸込みグリル、
９…吹出し口、
１…室内機本体、
１０…熱交換器、
１３…室内送風機、
８ａ…第１の水平ルーバー、
８ｂ…第２の水平ルーバー、
３０…マイクロスイッチ（検知子）、
Ｋ…装着状態検知機構、
４０…板ばね体（弾性体）。
【図１】
2004069176.tif 000003
【図２】
2004069176.tif 000004
【図３】
2004069176.tif 000005
【図４】
2004069176.tif 000006